(57)【要約】【課題】作業性に優れており、かつ、確実にアース端子を防水するアース端子の防水構造を提供する。【解決手段】このアース端子の防水構造１は、パネル２に導通接触されて固定されるアース端子３と、このアース端子３に端末が接続されるアース用の電線４と、アース端子３を覆うカバー５とから構成されており、カバー５は、アース端子３と共にパネル２に固定されるのカバー本体６と、このカバー本体６にヒンジ７を介して一体形成されたカバー体８とから形成されており、カバー体８にはシール部９が設けられて、アース端子３と電線４との接続部３ｂをシールする。【選択図】　　　図１
2004127603.tif 000002
【特許請求の範囲】
【請求項１】
パネルに導通接触されて固定されるアース端子と、このアース端子に端末が接続されるアース用の電線と、前記アース端子を覆うカバーとを備えたアース端子の防水構造であって、少なくとも前記アース端子と前記電線との接続部をシールするシール部を前記カバーに設けたことを特徴とするアース端子の防水構造。
【請求項２】
請求項１記載のアース端子の防水構造であって、前記カバーが、前記アース端子と共に前記パネルに固定されるカバー本体と、この本体にヒンジを介して一体形成されたカバー体とから形成されており、前記カバー体に前記シール部が設けられ、前記カバー体が前記カバー本体に被せられて閉止することにより前記接続部をシールすることを特徴とするアース端子の防水構造。
【請求項３】
請求項２記載のアース端子の防水構造であって、前記カバーが前記アース端子を収容する端子収容部と前記接続部を収容する接続部収容部とを備えていることを特徴とするアース端子の防水構造。
【請求項４】
請求項３記載のアース端子の防水構造であって、前記カバー本体にボルトが挿通する挿通孔を設けたことを特徴とするアース端子の防水構造。
【請求項５】
請求項４記載のアース端子の防水構造であって、前記カバー本体の前記カバー本体と前記パネルの接触する面にシール片が貼着されていることを特徴とするアース端子の防水構造。
【請求項６】
請求項５記載のアース端子の防水構造であって、前記ボルトが前記パネルに取り付けられたスタッドボルトであることを特徴とするアース端子の防水構造。
【請求項７】
請求項２乃至６のいずれか一項に記載のアース端子の防水構造であって、前記カバー本体に係止突起を形成し、前記カバー体には前記係止突起と係合する係止枠を形成したことを特徴とするアース端子の防水構造。
【発明の詳細な説明】
【０００１】
【発明の属する技術分野】
本発明は、アース端子と端末がアース端子に接続されるアース用の電線との接続部における防水構造に関する。
【０００２】
【従来の技術】
従来、自動車等において水等が掛かる場所、例えばボディパネルにアース端子を取り付ける場合のアース端子の防水構造としては、例えば図１３に示すものがある（特許文献１参照）。
【０００３】
このアース端子の防水構造２０では、パネル２１に導通接触されて固定されるアース端子２２と、このアース端子２２に端末が接続されるアース用の被覆電線２３と、アース端子２２を覆うカバー２４とを備えている。カバー２４は、アース端子２２を収容する収容部２５ｂを有するカバー本体１０５と、カバー本体２５とヒンジ（不図示）を介して開閉可能に一体に設けられているカバー体２６とから形成されている。カバー本体２５とカバー体２６は、それぞれの合わせ面２５ａ、２６ａで閉合し得るようになっている。カバー本体２５の合わせ面２５ａには、組み立てる際にシール片２７が貼着され、シール片２７の一部はカバー本体２５の外側に引き回されてカバー本体２５の裏側表面に貼着される。
【０００４】
また、アース端子２２には挿通孔２２ａが設けられ、カバー本体２５はアース端子２２を収容する収容部２５ｂを有している。収容部２５ｂの中央部には、ボルト２８が挿通するための挿通孔（不図示）が形成されており、自動車のパネル２１側にも、アース端子２２を組付けるための取付孔２９が設けられている。そして、カバー本体２５とカバー体２６は、それぞれアース端子２２と被覆電線２３の接続部分に被着する防水栓３０を収容して挟持するための凹部２５ｃ、２６ｂが形成されている。また、カバー本体２５には、係止突起２５ｄ、２５ｄを、カバー体２６は係止枠２６ｃ、２６ｃをそれぞれ有しており、カバー本体２５及びカバー体２６が閉合することにより、係止突起２５ｄ、２５ｄ及び係止枠２６ｃ、２６ｃが係合するようになっている。なお、被覆電線２３のもう一端は、電子機器と接続されている。
【０００５】
アース端子２２をパネル２１に取り付ける場合には、被覆電線２３との接続部分に防水栓３０が被着されたアース端子２２をカバー本体２５の収容部２５ｂに収容し、防水栓３０を凹部２５ｃに収容する。次に、シール片２７を、カバー本体２５の合わせ面２５ａに貼着し、シール片２７の一部をカバー本体２５の外側に引き回してカバー本体２５の裏側表面に貼着する。更に、ボルト２８をカバー本体２５の挿通孔に挿通し、ボルト２８により、アース端子２２及び、カバー本体２５を同時にパネル２１の取付孔２９に締付け固定する。そして、ヒンジを介してカバー体２６をカバー本体２５に閉合することにより、係止突起２５ｄ、２５ｄ及び係止枠２６ｃ、２６ｃが相互に係合してアース端子２２の取付けが完了する。このようにすることにより、アース端子２２はカバー２４内に密閉・封止されて、外部から水が浸入するのを防止している。
【０００６】
【特許文献１】
実開平５−９１９９５号公報（第１図）
【０００７】
【発明が解決しようとする課題】
ところが、上述した特許文献１に示されたアース端子の防水構造２０では、アース端子２２をパネル２１に取付ける際に、ボルト２８によってパネル２１にアース端子２２及び、カバー本体２５を取付け固定し、次にシール片２７を貼着し、シール片２７の一部をカバー本体２５の外側に引き回してカバー本体２５の裏側表面に貼着した後にカバー２４を閉合しているため、工程が複雑で手間がかかっていた。
【０００８】
また、アース端子２２と被覆電線２３との接続部分に被着された防水栓３０の密着性が低い場合には、アース端子２２とパネル２１との隙間を伝わって浸入する水が、防水栓３０と被覆電線２３との隙間から被覆電線２３内部の芯線に浸入し、芯線の錆を誘発する可能性があった。そして、芯線に浸入した水が、毛細管現象及び、温度変化によって生じる電気機器と外部との圧力差によって芯線の間を伝わり、他端に接続している電子機器などに浸入してしまうおそれがあった。これらの結果、芯線と電気機器との接触不良や電気機器が誤作動を誘発してしまうおそれもあるため、アース端子２２と被覆電線２３との接続部分を完全防水する必要があった。
【０００９】
更に、近年自動車の電子化が進んでいるため、カーメーカーからの要請により、確実にアース端子を防水する必要があった。
【００１０】
そこで本発明は、上記した従来技術の欠点を除くためになされたものであって、その目的とするところは、作業性に優れており、かつ、確実にアース端子を防水するアース端子の防水構造を提供することである。
【００１１】
【課題を解決するための手段】
上記目的を達成するため請求項１記載の発明では、パネルに導通接触されて固定されるアース端子と、このアース端子に端末が接続されるアース用の電線と、前記アース端子を覆うカバーとを備えたアース端子の防水構造であって、少なくとも前記アース端子と前記電線との接続部をシールするシール部をカバーに設けたことを特徴とする。
【００１２】
このアース端子の防水構造では、パネルにアース端子を固定した後にカバーを被せるだけで接続部がシールされた状態となるため、シール部によって接続部から電線内部の芯線に水が浸入する事態が容易に防止され、安定した接続状態が得られる。
【００１３】
請求項２記載の発明は、請求項１記載のアース端子の防水構造であって、前記カバーが、前記アース端子と共に前記パネルに固定されるカバー本体と、この本体にヒンジを介して一体形成されたカバー体とから形成されており、前記カバー体に前記シール部が設けられ、前記カバー体が前記カバー本体に被せられて閉止することにより前記接続部をシールすることを特徴とする。
【００１４】
請求項２記載の発明では、アース端子とカバー本体を同時にパネルに固定した後にカバー体の閉止操作を行うことにより、アース端子はカバー内に密閉・封止されて、外部から水が浸入することが防止される。また、カバー体に設けられたシール部が、カバー体をカバー本体に被せるだけで接続部をシールするため、容易に防水効果が得られる。
【００１５】
請求項３記載の発明は、請求項２記載のアース端子の防水構造であって、前記カバーが前記アース端子を収容する端子収容部と前記接続部を収容する接続部収容部とを備えていることを特徴とする。
【００１６】
請求項３記載の発明では、アース端子はカバーの端子収容部に収容され、電線との接続部は接続部収容部に収容される。
【００１７】
請求項４記載の発明は、請求項３記載のアース端子の防水構造であって、前記カバー本体にボルトが挿通する挿通孔を設けたことを特徴とする。
【００１８】
請求項４記載の発明では、アース端子とカバー本体の挿通孔にボルトの軸部を挿通してボルトを締め付けることにより、アース端子とカバー本体が同時にパネルに固定される。
【００１９】
請求項５記載の発明は、請求項４記載のアース端子の防水構造であって、前記カバー本体の前記カバー本体と前記パネルの接触する面にシール片が貼着されていることを特徴とする。
【００２０】
請求項５記載の発明では、カバー本体の裏側表面にシール片が貼着されているため、カバー本体をパネルに取り付けるだけで、容易にカバー本体とパネルとの間に水が浸入し、更にボルトの挿通孔からカバー内部への水の浸入が防止される。
【００２１】
請求項６記載の発明は、請求項５記載のアース端子の防水構造であって、前記ボルトが前記パネルに取り付けられたスタッドボルトであることを特徴とする。
【００２２】
請求項６記載の発明では、予めパネルにスタッドボルトが取り付けられているため、ボルトをアース端子とカバー本体の挿通孔に挿通させて螺合させるだけで、容易にアース端子とカバー本体がパネルに取り付けられる。
【００２３】
請求項７記載の発明は、請求項２乃至６のいずれか一項に記載のアース端子の防水構造であって、前記カバー本体に係止突起を形成し、前記カバー体には前記係止突起と係合する係止枠を形成したことを特徴とする。
【００２４】
請求項７記載の発明では、係止突起と係止枠が係合することにより、カバー体はカバー本体にアース端子を収容した状態で確実に閉止されて固定される。
【００２５】
【発明の実施の形態】
以下、本発明のアース端子の防水構造の詳細を図面に示す実施形態に基づいて説明する。
【００２６】
（第１実施形態）
図１は本発明の第１実施形態を示す斜視図であり、図２は本発明の第１実施形態を示す平面図であり、図３は本発明の第１実施形態を示し、図２のＩＩ−ＩＩ線に沿って切断した断面図であり、図４は本発明の第１実施形態を示し、カバー本体にカバー体を被せ組付けが完了したときの状態を示す側面図であり、図５は本発明の第１実施形態を示し、図４のＩＶ−ＩＶ線に沿って切断した断面図であり、図６は図５のＡ部拡大断面図である。
【００２７】
図１乃至図２に示すように、本実施形態のアース端子の防水構造１は、自動車のパネル２に導通接触されて固定されるアース端子３と、このアース端子３に端末が接続されるアース用の被覆電線４と、アース端子３を覆うカバー５とから構成されている。図３に示すように、パネル２には、アース端子３を取り付けるための取付孔２ａが設けられている。図６に示すように、被覆電線４の周囲には絶縁用の被覆４ｂが施されており、アース端子３と接続する一端は被覆４ｂが剥がされて芯線４ｃがむき出しになっている。また、被覆電線４の他端部分には、アースを必要とする電子機器（不図示）が接続されている。図１乃至図２に示すように、カバー５は、アース端子３と共にパネル２に固定される合成樹脂製のカバー本体６と、このカバー本体６にヒンジ７を介して開閉可能に一体形成されたカバー体８とから形成されており、カバー本体６とカバー体８は、それぞれの合わせ面６ａ、８ａで閉合し得るようになっている。また、カバー体８にはゴム製のシール部９が設けられている。
【００２８】
アース端子３は導電性金属により一体に形成されており、一端がリング状をなすアース端子本体３ａと、他端にアース端子本体３ａから後方へ一体に延設された接続部３ｂとからなっている。このうち、図３に示すように、アース端子本体３ａの中心部には挿通孔３ｃが開口しており、ボルト１０の軸部１０ｂが挿通できるようになっている。接続部３ｂでは、被覆電線４の端末４ａを接続部３ｂに設けた一対のかしめ部３ｄによってかしめることによりアース端子３と被覆電線４とを導通させる。かしめ部３ｄは接続部３ｂに電線４の長さ方向に沿って配置されており、被覆電線４の被覆４ｂをかしめ付けて、被覆電線４を接続部３ｂ側に圧着する。
【００２９】
また、カバー本体６にはアース端子３を収容する端子収容部６ｂが形成されており、端子収容部６ｂの中央部には、ボルト１０の軸部１０ｂが挿通するための挿通孔６ｃが形成されている。カバー体８には、ボルト１０の頭部１０ａをカバーするボルトカバー部８ｂが形成されている。そして、カバー本体６とカバー体８には、それぞれアース端子３と被覆電線４の接続部３ｂを収容して挟持するための接続部収容部６ｄ、８ｃが形成されている。また、カバー本体６がパネル２と接触する裏側表面６ｅには、ゴム製のシール片１１が貼着されており、カバー体８の接続部収容部８ｃ上面には、シール部９が貼着されている。
【００３０】
更に、カバー本体６には、係止突起６ｆ、６ｆを備えている。カバー体８には、係止枠８ｄ、８ｄを備えており、カバー本体６及びカバー体８が閉合することにより、係止突起６ｆ、６ｆ及び係止枠８ｄ、８ｄが係合するようになっている。
【００３１】
次に、上記のように構成された本実施形態のアース端子の防水構造１を用いての防水方法の例を説明する。まず、アース端子３をパネル２に取り付ける場合には、カバー本体６の端子収容部６ｂに被覆電線４と接続しているアース端子３のアース端子本体３ａを収容し、接続部収容部６ｄにアース端子３と被覆電線４の接続部３ｂを収容する。そして、アース端子本体３ａの挿通孔３ｃとカバー本体６の挿通孔６ｃの孔を合わせてそこにボルト１０の軸部１０ｂを挿通させ、更に軸部１０ｂをパネル２に設けた取付孔２ａに挿通させて螺合することによって固定する。
【００３２】
このように、アース端子３とカバー本体６を同時にパネル２に固定した後に、ヒンジ７を介してカバー体８をカバー本体６に被せて、それぞれの合わせ面６ａ、８ａで閉合し、係止突起６ｆ、６ｆと係止枠８ｄ、８ｄを係合させて閉止操作を行う。そして、係止突起６ｆ、６ｆと係止枠８ｄ、８ｄが係合することにより、カバー体８はカバー本体６にアース端子３を収容した状態で確実に閉止されて固定される。このとき、カバー体８のボルトカバー部８ｂがボルト１０の頭部１０ａをカバーし、シール部９が、接続部３ｂを収容する接続部収容部６ｄ、８ｃと接続部３ｂとの間に密着し、シールする。このため、アース端子３はカバー５内に密閉・封止されて、外部から水が浸入することが防止される。また、カバー本体６の裏側表面６ｅにシール片１１が貼着されているため、カバー本体６をパネル２に取り付けるだけで、容易にカバー本体６とパネル２との間に水が浸入し、更にボルト１０の挿通孔３ｃ、６ｃからカバー５内部への水の浸入が防止される。
【００３３】
このように、本実施形態によれば、アース端子３とカバー本体６の挿通孔３ｃ、６ｃにボルト１０の軸部１０ｂを挿通して、更にパネル２に設けた取付孔２ａにボルト１０の軸部１０ｂを挿通させて螺合して締め付けることにより、アース端子３とカバー本体６を同時にパネル２に固定することができる。また、カバー本体６の裏側表面６ｅにシール片１１が貼着されているため、作業工程が少なくてすむ上に、カバー本体６をパネル２に取り付けるだけで、カバー本体６とパネル２との間に水が浸入し、更に挿通孔３ｃ、６ｃからカバー５内部へ浸入することを容易に防止することができる。
【００３４】
更に、アース端子３とカバー本体６をパネル２に固定した後に、カバー体８の閉止操作を行うことにより、アース端子３はカバー５内に密閉・封止されるため、外部から水が浸入することを防止することができる。また、カバー体８にたシール部９が設けられているため、カバー体８をカバー本体６に被せるだけで接続部３ｂをシールすることができ、容易に、かつ、確実に防水効果を得ることができる。
【００３５】
なお、アース端子３と被覆電線４の接続をかしめ部３ｄが被覆電線４をかしめることによって行ったが、芯線４ｃ部分は、必要に応じて接続部３ｂにおいて半田付けを行ってもよい。
【００３６】
（第２実施形態）
次に、本発明の第２実施形態について、図７乃至図９を参照して説明する。図７は、本発明の第２実施形態を示す斜視図である。図８は、本発明の第２実施形態を示す平面図である。図９は、図８のＶＩＩＩ−ＶＩＩＩ線に沿って切断した断面図である。なお、上記第１実施形態と同一構成には同一の符号を付して説明の一部を省略する。
【００３７】
図７乃至図９に示すように、本実施形態と第１実施形態との相違は、ボルト１０の代わりにインサートボルト１２を使用している点である。インサートボルト１２は、カバー本体６の挿通孔６ｃに嵌合されて一体となっており、両端が両外方向に延設されている。これら延設されたもののうち、一端１２ａをアース端子本体部３ａの挿通孔３ｃを挿通させ、他端１２ｂをパネル２の取付孔２ａを挿通させる。
【００３８】
上記のように構成された第２実施形態においても、第１実施形態と同様の作用及び効果を奏することができる。すなわち、アース端子３とカバー本体６をパネル２に取り付ける場合に、インサートボルト１２の一端１２ａをアース端子本体３ａの挿通孔３ｃに挿通させて固定した後に、インサートボルト１２の他端１２ｂをパネル２に設けた取付孔２ａに挿通させて螺合することによって固定することができる。従って、アース端子３とカバー本体６をパネル２に固定した後に、カバー体８の閉止操作を行うことにより、アース端子３はカバー５内に密閉・封止されるため、容易に、かつ、確実に防水効果を得ることができる。なお、インサートボルト１２はカバー本体６と一体化しているため、パネル２にカバー本体６を取り付ける際に、裏側表面６ｅにシール片１１を貼着する必要がなく、カバー本体６とパネル２との間から水が浸入してもボルト１０の挿通孔３ｃ、６ｃからカバー５内部へ水が浸入することはない。
【００３９】
また、本実施形態によれば、インサートボルト１２によってアース端子３とカバー本体６をパネル２に取り付けることができるため、より作業工程が少なくてすむ上に、カバー本体６をパネル２に取り付けるだけで、容易に、かつ、確実に防水効果を得ることができる。
【００４０】
（第３実施形態）
次に、本発明の第３実施形態について、図１０乃至図１２を参照しつつ説明する。図１０は、本発明の第３実施形態を示す斜視図である。図１１は、本発明の第３実施形態を示す平面図である。図１２は、図１１のＸＩ−ＸＩ線に沿って切断した断面図である。なお、上記第１実施形態と同一構成には同一の符号を付して説明の一部を省略する。
【００４１】
図１０乃至図１２に示すように、本実施形態と第１実施形態との相違は、ボルト１０の代わりにスタッドボルト１３を使用している点である。スタッドボルト１３はパネル２の接地面に立設している。
【００４２】
上記のように構成された第３実施形態においても、第１実施形態と同様の作用及び効果を奏することができる。すなわち、アース端子３とカバー本体６をパネル２に取り付ける場合に、アース端子３とカバー本体６をパネル２に取り付ける場合には、アース端子３とカバー本体６の挿通孔３ｃ、６ｃをスタッドボルト１３に嵌合してそのスタッドボルト１３にねじ込んだナット（不図示）を締め付けることによって固定する。このように、予めパネル２にスタッドボルト１３が取り付けられているため、スタッドボルト１３をアース端子３とカバー本体６の挿通孔３ｃ、６ｃに挿通させて螺合させるだけで、容易にアース端子３とカバー本体６がパネル２に取り付けられる。このため、本実施形態によれば、第１実施形態と同様の効果のほか、さらに簡易な構成のアース端子の防水構造１を提供することができる。
【００４３】
【発明の効果】
以上説明したように、請求項１記載の発明によれば、パネルにアース端子を固定した後にカバーを被せるだけで接続部がシール状態となるため、電線の芯線に水が浸入する事態を容易に防止することができ、安定した接続状態を得ることができる。
【００４４】
請求項２記載の発明によれば、請求項１に記載された発明の効果に加えて、アース端子とカバー本体を同時にパネルに固定した後にカバー体の閉止操作を行うことにより、アース端子はカバー内に密閉・封止されるため、外部からの水の浸入を防止できる。また、カバー体に設けられたシール部が、カバー体をカバー本体に被せるだけで接続部をシールするため、容易に防水効果を得ることができる。
【００４５】
請求項３記載の発明によれば、請求項２に記載された発明の効果に加えて、アース端子をカバーの収容部に収容し、電線との接続部を接続部収容部に収容することができる。
【００４６】
請求項４記載の発明によれば、請求項３に記載された発明の効果に加えて、アース端子とカバー本体の挿通孔にボルトの軸部を挿通してボルトを締め付けることにより、アース端子とカバー本体を同時にパネルに固定することができる。
【００４７】
請求項５記載の発明によれば、請求項４に記載された発明の効果に加えて、カバー本体の裏側表面にシール片が貼着されているため、カバー本体をパネルに取り付けるだけで、カバー本体とパネルとの間に水が浸入し、ボルトの挿通孔からカバー内部に水が浸入することを容易に防止することができる。
【００４８】
請求項６記載の発明によれば、請求項５に記載された発明の効果に加えて、予めパネルにスタッドボルトが取り付けられているため、ボルトをアース端子とカバー本体の挿通孔に通すだけで、アース端子とカバー本体をパネルに容易に取り付けることができる。
【００４９】
請求項７記載の発明によれば、請求項２乃至６に記載された発明の効果に加えて、係止突起と係止枠が係合することにより、カバー本体にアース端子を収容した状態でカバー体を確実に閉止し固定することができる。
【図面の簡単な説明】
【図１】本発明の第１実施形態を示す斜視図である。
【図２】本発明の第１実施形態を示す平面図である。
【図３】本発明の第１実施形態を示し、図２のＩＩ−ＩＩ線に沿って切断した断面図である。
【図４】本発明の第１実施形態を示し、カバー本体にカバー体を被せ組付けが完了したときの状態を示す側面図である。
【図５】本発明の第１実施形態を示し、図４のＩＶ−ＩＶ線に沿って切断した断面図である。
【図６】図５のＡ部拡大断面図である。
【図７】本発明の第２実施形態を示す斜視図である。
【図８】本発明の第２実施形態を示す平面図である。
【図９】本発明の第２実施形態を示し、図８のＶＩＩＩ−ＶＩＩＩ線に沿って切断した断面図である。
【図１０】本発明の第３実施形態を示す斜視図である。
【図１１】本発明の第３実施形態を示す平面図である。
【図１２】本発明の第３実施形態を示し、図１１のＸＩ−ＸＩ線に沿って切断した断面図である。
【図１３】従来のアース端子の防水構造を示す斜視図である。
【符号の説明】
１　　　アース端子の防水構造
２　　　パネル
３　　　アース端子
３ｂ　　接続部
４　　　電線
５　　　カバー
６　　　カバー本体
７　　　ヒンジ
８　　　カバー体
９　　　シール部
【図１】
2004127603.tif 000003
【図２】
2004127603.tif 000004
【図３】
2004127603.tif 000005
【図４】
2004127603.tif 000006
【図５】
2004127603.tif 000007
【図６】
2004127603.tif 000008
【図７】
2004127603.tif 000009
【図８】
2004127603.tif 000010
【図９】
2004127603.tif 000011
【図１０】
2004127603.tif 000012
【図１１】
2004127603.tif 000013
【図１２】
2004127603.tif 000014
【図１３】
2004127603.tif 000015